【手続補正書】
【提出日】平成29年6月9日(2017.6.9)
【手続補正１】
【補正対象書類名】特許請求の範囲
【補正対象項目名】全文
【補正方法】変更
【補正の内容】
【特許請求の範囲】
【請求項１】
ウェブコンテンツと共に表示される広告に関する第１コンテンツと第２コンテンツとを、前記ウェブコンテンツとは個別に取得する取得手順と、
前記ウェブコンテンツと共に、前記第１コンテンツを表示領域に表示する表示手順と、
端末装置の物理的な状態として、前記端末装置の傾きを検知する検知手順と、
前記検知手順による検知結果に応じて、前記表示領域に、前記第１コンテンツを複数の領域に分割し、前記端末装置が傾けられた方向とは逆の方向に配置された領域から、傾けられた方向へ、各領域の表示態様を変更する処理を順番に開始させることで、または、広告に係る第２コンテンツを複数の領域に分割し、前記端末装置が傾けられた方向とは逆の方向に配置された領域から、傾けられた方向へ、各領域の表示態様を変更する処理を順番に開始させることで、前記表示領域に前記第２コンテンツを表示させる表示制御手順と
をコンピュータに実行させるための情報表示プログラム。
【請求項２】
前記表示制御手順は、前記端末装置の傾きに応じて、前記第１コンテンツの表示態様を変更しつつ前記表示領域に前記第２コンテンツを表示させる
ことを特徴とする請求項１に記載の情報表示プログラム。 
【請求項３】
前記表示制御手順は、前記端末装置の傾きが検知された場合は、前記第１コンテンツの表示態様を変更しつつ前記表示領域に前記第２コンテンツを表示させる
ことを特徴とする請求項１または２に記載の情報表示プログラム。 
【請求項４】
前記表示手順は、前記第１コンテンツと前記第２コンテンツとを重ねて配置し、
前記表示制御手順は、前記検知手順による検知結果に応じて、前記第１コンテンツの透過度を変更することで、または、前記第２コンテンツの透過度を変更することで、前記第２コンテンツを表示させる
ことを特徴とする請求項１〜３のうちいずれか１つに記載の情報表示プログラム。 
【請求項５】
前記表示制御手順は、前記第１コンテンツを複数の領域に分けた各領域ごとに透過度の変化の態様が異なるように当該第１コンテンツの表示態様を変更することで、または、前記第２コンテンツを複数の領域に分けた各領域ごとに透過度の変化の態様が異なるように当該第２コンテンツの表示態様を変更することで、前記第２コンテンツを表示させることを特徴とする請求項４に記載の情報表示プログラム。 
【請求項６】
前記表示手順は、前記第１コンテンツと前記第２コンテンツとを重ねて配置し、
前記表示制御手順は、前記第１コンテンツを複数の領域に分けた各領域ごとに異なる態様で表示態様を変更し、かつ、前記第２コンテンツを複数の領域に分けた各領域ごとにそれぞれ異なる態様で表示態様を変更することで、前記第２コンテンツを表示させる
ことを特徴とする請求項１〜５のうちいずれか１つに記載の情報表示プログラム。 
【請求項７】
前記表示制御手順は、前記表示領域に前記第２コンテンツが表示されている場合は、前記検知手順による検知結果に応じて、前記第２コンテンツの表示態様を変更しつつ前記表示領域に前記第１コンテンツを表示させる
ことを特徴とする請求項１〜６のうちいずれか１つに記載の情報表示プログラム。 
【請求項８】
前記検知手順は、前記端末装置の傾きの大きさを検知し、
前記表示制御手順は、前記検知手順が検知した傾きの大きさに応じた態様で、前記第１コンテンツの表示態様を変更する
ことを特徴とする請求項１〜７のうちいずれか１つに記載の情報表示プログラム。 
【請求項９】
前記表示手順は、前記表示制御手順が前記第１コンテンツまたは前記第２コンテンツの表示態様を変更している間に、利用者が前記表示領域を選択した場合は、当該選択した位置に表示されているコンテンツに対応する新たなコンテンツを表示することを特徴とする請求項１〜８のうちいずれか１つに記載の情報表示プログラム。 
【請求項１０】
前記表示手順は、利用者が前記第１コンテンツを選択した場合には、所定のコンテンツを表示し、利用者が前記第２コンテンツを選択した場合には、前記所定のコンテンツとは異なるコンテンツを表示することを特徴とする請求項１〜９のうちいずれか１つに記載の情報表示プログラム。
【請求項１１】
制御情報を端末装置に配信する配信部を備え、
前記制御情報は、
ウェブコンテンツと共に表示される広告に関する第１コンテンツと第２コンテンツとを、前記ウェブコンテンツとは個別に取得する取得手順と、
前記ウェブコンテンツと共に、前記第１コンテンツを表示領域に表示する表示手順と、
端末装置の物理的な状態として、前記端末装置の傾きを検知する検知手順と、
前記検知手順による検知結果に応じて、前記表示領域に、前記第１コンテンツを複数の領域に分割し、前記端末装置が傾けられた方向とは逆の方向に配置された領域から、傾けられた方向へ、各領域の表示態様を変更する処理を順番に開始させることで、または、広告に係る第２コンテンツを複数の領域に分割し、前記端末装置が傾けられた方向とは逆の方向に配置された領域から、傾けられた方向へ、各領域の表示態様を変更する処理を順番に開始させることで、前記表示領域に前記第２コンテンツを表示させる表示制御手順と
を前記端末装置に実行させることを特徴とする配信装置。 
【請求項１２】
端末装置が実行する情報表示方法であって、
ウェブコンテンツと共に表示される広告に関する第１コンテンツと第２コンテンツとを、前記ウェブコンテンツとは個別に取得する取得工程と、
前記ウェブコンテンツと共に、前記第１コンテンツを表示領域に表示する表示工程と、
端末装置の物理的な状態として、前記端末装置の傾きを検知する検知工程と、
前記検知工程による検知結果に応じて、前記表示領域に、前記第１コンテンツを複数の領域に分割し、前記端末装置が傾けられた方向とは逆の方向に配置された領域から、傾けられた方向へ、各領域の表示態様を変更する処理を順番に開始させることで、または、広告に係る第２コンテンツを複数の領域に分割し、前記端末装置が傾けられた方向とは逆の方向に配置された領域から、傾けられた方向へ、各領域の表示態様を変更する処理を順番に開始させることで、前記表示領域に前記第２コンテンツを表示させる表示制御工程と
を含むことを特徴とする情報表示方法。 
【請求項１３】
ウェブコンテンツと共に表示される広告に関する第１コンテンツと第２コンテンツとを、前記ウェブコンテンツとは個別に取得する取得部と、
前記ウェブコンテンツと共に、前記第１コンテンツを表示領域に表示する表示部と、
端末装置の物理的な状態として、前記端末装置の傾きを検知する検知部と、
前記検知部による検知結果に応じて、前記表示領域に、前記第１コンテンツを複数の領域に分割し、前記端末装置が傾けられた方向とは逆の方向に配置された領域から、傾けられた方向へ、各領域の表示態様を変更する処理を順番に開始させることで、または、広告に係る第２コンテンツを複数の領域に分割し、前記端末装置が傾けられた方向とは逆の方向に配置された領域から、傾けられた方向へ、各領域の表示態様を変更する処理を順番に開始させることで、前記表示領域に前記第２コンテンツを表示させる表示制御部と
を有することを特徴とする情報表示装置。
【手続補正２】
【補正対象書類名】明細書
【補正対象項目名】発明の名称
【補正方法】変更
【補正の内容】
【発明の名称】情報表示プログラム、配信装置、情報表示方法および情報表示装置
【手続補正３】
【補正対象書類名】明細書
【補正対象項目名】０００１
【補正方法】変更
【補正の内容】
【０００１】
本発明は、情報表示プログラム、配信装置、情報表示方法および情報表示装置に関する。
【手続補正４】
【補正対象書類名】明細書
【補正対象項目名】０００６
【補正方法】変更
【補正の内容】
【０００６】
本願に係る情報表示プログラムは、ウェブコンテンツと共に表示される広告に関する第１コンテンツと第２コンテンツとを、前記ウェブコンテンツとは個別に取得する取得手順と、前記ウェブコンテンツと共に、前記第１コンテンツを表示領域に表示する表示手順と、端末装置の物理的な状態として、前記端末装置の傾きを検知する検知手順と、前記検知手順による検知結果に応じて、前記表示領域に、前記第１コンテンツを複数の領域に分割し、前記端末装置が傾けられた方向とは逆の方向に配置された領域から、傾けられた方向へ、各領域の表示態様を変更する処理を順番に開始させることで、または、広告に係る第２コンテンツを複数の領域に分割し、前記端末装置が傾けられた方向とは逆の方向に配置された領域から、傾けられた方向へ、各領域の表示態様を変更する処理を順番に開始させることで、前記表示領域に前記第２コンテンツを表示させる表示制御手順とをコンピュータに実行させることを特徴とする。
【手続補正５】
【補正対象書類名】明細書
【補正対象項目名】０００９
【補正方法】変更
【補正の内容】
【０００９】
以下に、本願に係る情報表示プログラム、配信装置、情報表示方法および情報表示装置を実施するための形態（以下、「実施形態」と呼ぶ）について図面を参照しつつ詳細に説明する。なお、この実施形態により本願に係る情報表示プログラム、配信装置、情報表示方法および情報表示装置が限定されるものではない。また、以下の各実施形態において同一の部位には同一の符号を付し、重複する説明は省略される。